(57)【要約】【課題】  通常の便のみならず水様の便の採取にも適し、さらには特に女性の尿の採取にも適した排泄物採取具を提供する。【解決手段】  特徴とする排泄物採取具１Ａは、中央にリザーバーが設けられた排泄物採取部２と、排泄物採取部２の少なくとも左右方向に延設されたバンド部４ａ，４ｂとからなり、便器の便座またはリムに懸架して使用する排泄物採取具であって、排泄物採取部２は、水に溶ける積層紙からなるベース材と、少なくとも前記リザーバーを含む領域に形成した水に溶けるフィルム材２４と、を含んで構成され、バンド部４ａ，４ｂは、少なくとも一層が排泄物採取部２のベース材と連続する、水に溶ける積層紙を含んで構成される。【選択図】    図１
2020024197.tif 000002
【特許請求の範囲】
【請求項１】
中央にリザーバーが設けられた排泄物採取部と、
前記排泄物採取部の少なくとも左右方向に延設されたバンド部と、
からなり、便器の便座またはリムに懸架して使用する排泄物採取具であって、
前記排泄物採取部は、
水に溶ける単層紙または積層紙からなるベース材と、
少なくとも前記リザーバーを含む領域に形成した水に溶けるフィルム材と、
を含んで構成され、
前記バンド部は、
少なくとも一層が前記排泄物採取部の前記ベース材と連続する、水に溶ける単層紙または積層紙を含んで構成され、
前記フィルム材は、所定時間は水に溶けずに前記リザーバー内に水様の便及びまたは尿を保持するものであることを特徴とする排泄物採取具。
【請求項２】
請求項１に記載の排泄物採取具であって、
前記リザーバーは、生理食塩水の注入から３分後の保持率が１５％以上であることを特徴とする排泄物採取具。
【請求項３】
中央にリザーバーが設けられた排泄物採取部と、
前記排泄物採取部の少なくとも左右方向に延設されたバンド部と、
からなり、便器の便座またはリムに懸架して使用する排泄物採取具であって、
前記排泄物採取部は、
水に溶ける単層紙または積層紙からなるベース材の少なくとも前記リザーバーを含む領域に透水性低下材が塗布されて構成され、
前記バンド部は、
少なくとも一層が前記ベース材と連続する、水に溶ける単層紙または積層紙を含んで構成され、
ることを特徴とする排泄物採取具。
【請求項４】
請求項３に記載の排泄物採取具であって、
前記リザーバーは、生理食塩水の注入から３分後の保持率が１５％以上であることを特徴とする排泄物採取具。
【請求項５】
前記排泄物採取部の前記リザーバーを除く領域に一または二以上の排泄物排出孔が設けられている請求項１から４の何れか１項に記載の排泄物採取具。
【請求項６】
前記排泄物採取部の前記リザーバーの内表面に、使用者の状況・状態を検知するための試薬を設けた請求項１から５の何れか１項に記載の排泄物採取具。
【請求項７】
前記リザーバー及びまたは前記リザーバー内の排泄物に対して供給し、使用者の状況・状態を検知するための試薬を収納した容器を備える請求項１から６の何れか１項に記載の排泄物採取具。
【発明の詳細な説明】
【技術分野】
【０００１】
本発明は、便座に着座した状態で排泄物の採取ができる排泄物採取具に関し、具体的には通常の便のみならず水様の便の採取にも適し、さらには特に女性の尿の採取にも適した排泄物採取具に関するものである。
【背景技術】
【０００２】
洋式便器用の排泄物採取具が公知である（特許文献１参照）。図９は従来の排泄物採取具の説明図であり、（Ａ）は排泄物採取具の平面図、（Ｂ）は排泄物採取具の側断面図である。図９（Ａ），（Ｂ）に示すように、排泄物採取具９１は、排泄物を採取するために用いられる。
排泄物採取具９１は、水溶性の排泄物採取部９２と、その左右に延設されたバンド部９４（９４ａ，９４ｂ）から構成される。
排泄物採取部９２は、図９（Ｂ）に示されるように、２段の逆ピラミッド型の容器状をなしており、上段の受け部９２１と下段のリザーバー９２２とから構成されている。受け部９２１とリザーバー９２２との間にはフラット部９２３が形成されている。フラット部９２３には排泄物排出孔Ｗ２が形成されている。
バンド部９４ａ，９４ｂには、それぞれ矩形の軽量化用孔Ｗ０が形成されており、バンド部９４ａ，９４ｂの端にはそれぞれ接着材層Ｃが設けられている。
排泄物採取具９１の採便具としての使用に際し、使用者はバンド部９４ａ，９４ｂを洋式便器の便座の左右に貼り付け、排泄物採取部９２を懸架した状態で採便を行うことができる。採便後は、排泄物採取具９１を、そのままトイレに流すことができる。
【先行技術文献】
【特許文献】
【０００３】
【特許文献１】特開２０１５−１３５２９６
【発明の開示】
【発明が解決しようとする課題】
【０００４】
ところが、特許文献１の排泄物採取具９１を採便に使用する場合において、便が水様である場合には、排泄物採取部９２を透過してしまい、採取ができないことがある。これに対処するために、排泄物採取具９１として水様便が透過しにくい素材を採用すると、便の採取はできるものの、排泄物採取具９１が排水管に詰まってしまう。
また、特許文献１の排泄物採取具９１を採尿に転用する場合も同様であり、尿が排泄物採取部９２を透過してしまい、採取ができず、排泄物採取具９１として尿が透過しにくい素材を採用すると、尿の採取はできるものの、排泄物採取具９１が排水管に詰まってしまう。
【０００５】
本発明の目的は、通常の便のみならず水様の便の採取にも適した、便座に着座した状態で便の採取ができる排泄物採取具を提供することである。
また、本発明の他の目的は、女性の尿の採取にも適した、便座に着座した状態で尿の採取ができる排泄物採取具を提供することである。
【０００６】
上述した課題はそれぞれ独立したものとして記載しているものであり、本発明は、必ずしも記載した課題の全てを解決できる必要はなく、少なくとも一つの課題が解決できれば良い。またこの課題を解決するための構成についても単独で分割出願・補正等により権利取得する意思を有する。
【課題を解決するための手段】
【０００７】
本発明は、以下を要旨とする。
（１）
中央にリザーバー（ｒｅｓｅｒｖｏｉｒ）が設けられた排泄物採取部と、
前記排泄物採取部の少なくとも左右方向（すなわち、または左右方向および後方向等）に延設されたバンド部と、
からなり、便器の便座またはリムに懸架して使用する排泄物採取具であって、
前記排泄物採取部は、
水に溶ける単層紙または積層紙からなるベース材と、
少なくとも前記リザーバーを含む領域に形成した水に溶けるフィルム材と、
を含んで構成され、
前記バンド部は、
少なくとも一層が前記排泄物採取部の前記ベース材と連続する、水に溶ける単層紙または積層紙を含んで構成され、
前記フィルム材は、所定時間は水に溶けずに前記リザーバー内に水様の便及びまたは尿を保持するものであることを特徴とする排泄物採取具。
【０００８】
排泄物採取部は、例えば、概略、逆多角錐、逆多角錐台、逆円錐、逆円錐台またはこれらの合成形状となるように構成できる。典型的には、逆多角錐は逆四角錐、逆多角錐台は逆四角錐台である。後述する実施形態では、排泄物採取部は、中段にステップを有するピラミッドを逆転させた形状となっている。
排泄物採取部は、水に溶ける単層紙または積層紙からなるベース材を基本構成とする。
リザーバーは、排泄物採取部の下部（例えば、逆多角錐、逆多角錐台、逆円錐、逆円錐台の下部）を構成するもので、少なくとも前記リザーバーを含む領域にベース材に積層して形成した水に溶けるフィルム材が設けられる。
リザーバーの容積はたとえば３ｍＬ〜５ｍＬの容量とすることが好ましい範囲であるが、５ｍＬより大きな容積とすることができるし、３ｍＬより小さな容積とすることができる。
バンド部は、たとえば、左右に１本ずつ延設されていてもよいし、左右に２本ずつ延設されていてもよい。また、左右および後方に延設するようにしてもよい。また、排泄物採取具が、採尿具として使用される場合には、バンド部は、左右および前方に延設するようにしてもよい。
ベース材の素材は典型的には水溶紙である。フィルム材の素材として、ＰＶＡ系樹脂を採用することができる。また、ポリエチレンテレフタレートやポリオレフィン等の疎水性の材料を使用することができるし、セルロースを使用することもできる。
【０００９】
（２）
（１）に記載の排泄物採取具であって、
前記リザーバーは、生理食塩水の注入から３分後の保持率が５０％以上であることを特徴とする排泄物採取具。
（１）の態様では、生理食塩水の注入から３分後の保持率が１５％より多い値となるように前記リザーバーを構成できる。（１）の態様では、生理食塩水の注入から３分後の保持率が２０％以上となるように前記リザーバーを構成できる。この保持率は、好ましくは３０％以上ないし７０％以上である。なお、リザーバーはトイレに流されることから、上記保持率は７５％または８５％あるいは９５％以下とすることができる。
【００１０】
（３）
中央にリザーバー（ｒｅｓｅｒｖｏｉｒ）が設けられた排泄物採取部と、
前記排泄物採取部の少なくとも左右方向（すなわち、または左右方向および後方向等）に延設されたバンド部と、
からなり、便器の便座またはリムに懸架して使用する排泄物採取具であって、
前記排泄物採取部は、
水に溶ける単層紙または積層紙からなるベース材からなり、前記リザーバーが構成される領域に透水性低下材が塗布されて構成され、
前記バンド部は、
少なくとも一層が前記ベース材と連続する、水に溶ける単層紙または積層紙を含んで構成され、
ることを特徴とする排泄物採取具。
【００１１】
上述した（１）の態様では、ベース材にフィルムが積層された領域にリザーバーが構成されたが、（３）の態様では、ベース材に透水性低下材が塗布された領域にリザーバーが構成される。
透水性低下材の塗布は、方法を問わず、たとえば刷毛を用いて塗布してもよいし、スプレー装置により塗布してもよい。なお、透水性低下材として、熱硬化傾向が強い樹脂等を使用すると良い。
バンド部の構成、リザーバーの容積等は、（１）の態様と同じである。
【００１２】
（４）
（３）に記載の排泄物採取具であって、
前記リザーバーは、生理食塩水の注入から３分後の保持率が１５％以上であることを特徴とする排泄物採取具。
（３）の態様でも、生理食塩水の注入から３分後の保持率が１５％より多い値となるように前記リザーバーを構成できる。（３）の態様では、生理食塩水の注入から３分後の保持率が２０％以上となるように前記リザーバーを構成できる。この保持率は、好ましくは３０％以上ないし７０％以上である。なお、リザーバーはトイレに流されることから、上記保持率は７５％または８５％あるいは９５％以下とすることができる。
【００１３】
（５）
前記排泄物採取部の前記リザーバーを除く領域に一または二以上の排泄物排出孔が設けられている（１）から（４）の何れか１項に記載の排泄物採取具。
一または二以上の排泄物排出孔により、下痢便または水様便の排泄物採取部からの排出を促進することができる。
【００１４】
（６）
前記排泄物採取部の前記リザーバーの内表面に、使用者の状況・状態を検知するための試薬を設けた（１）から（５）の何れか１項に記載の排泄物採取具。
【００１５】
（７）
前記リザーバー及びまたは前記リザーバー内の排泄物に対して供給し、使用者の状況・状態を検知するための試薬を収納した容器を備える（１）から（６）の何れか１項に記載の排泄物採取具。
【００１６】
本発明の排泄物採取具は、２つの型からなるプレス成型により製造することができる。
プレス成型機は、排泄物採取部の凸形状を有する第１型と排泄物採取部の凹形状を有する第２型から構成できる。排泄物採取部が、中段にステップを有するピラミッドを逆転させた形状である場合には、（５）の態様において述べた排泄物排出孔は、第１型および第２型に設けたパンチ機構により打ち抜くことができる。
本発明の排泄物採取具では、排泄物採取部の周囲および／またはバンド部の周囲に、押圧力の高い線素片が破線状に表れる縁取り（いわゆるミシン目）、あるいは押圧力の高い連続線として表れる縁取り（押圧条）を形成することができる。
【００１７】
また、バンド部材の面の全体にわたり、上記ミシン目や押圧条を格子等の模様で形成することができる。
バンド部材や採取部材にミシン目や押圧条を形成することで、積層して製造された排泄物採取具が剥離しにくくなるし、使用に際してのバンド部材や採取部材の強度が調整される。
その一方で、表裏を貫通するミシン目は、濡れた場合に水の浸透を助長する。したがって、バンド部にミシン目を形成することで使用時の強度が増し、かつ便器に流す場合に詰まりにくくなる。
したがって、たとえばミシン目や押圧条の模様を増やしたり減らしたりすること、破線の太さやピッチを調整することで、排泄物採取具が水に溶ける速度を制御することも可能である。
【００１８】
なお、本発明の排泄物採取具では、長さ方向に水溶性の帯状補強材を追加する等により、バンド部の濡れによる強度低下を抑制することができる。帯状補強材は、ベース材と同じ素材を用いることもできるし、ベース材と異なる素材、たとえばフィルム材と同じ素材を用いることもできる。
【発明の効果】
【００１９】
本発明の排泄物採取具では、通常の便のみならず、潰瘍性大腸炎患者、食あたり患者等における水様便の採取にも適した、便座に着座した状態での採取ができる。
本発明の排泄物採取具は、特に女性の採尿にも適しており、便座に着座した状態での採取ができる。
【図面の簡単な説明】
【００２０】
【図１】図１は本発明の排泄物採取具の第１実施形態を示す図である。図１（Ａ）は排泄物採取具１Ａの平面図を示し、図１（Ｂ）は（Ａ）におけるＸ０−Ｘ０の側断面図を示している。
【図２】図２は本発明の排泄物採取具の第２実施形態を示す図である。図２（Ａ）は排泄物採取具１Ｂの平面図を示し、図２（Ｂ）は（Ａ）におけるＸ０−Ｘ０の側断面図を示している。
【図３】図３は本発明の排泄物採取具の第３実施形態を示す図である。図３（Ａ）は排泄物採取具１Ｃの平面図を示し、図３（Ｂ）は（Ａ）におけるＸ０−Ｘ０の側断面図を示している。
【図４】図４は本発明の排泄物採取具の第４実施形態を示す図である。図４（Ａ）は排泄物採取具１Ｄの平面図を示し、図４（Ｂ）は（Ａ）におけるＸ０−Ｘ０の側断面図を示している。
【図５】図５（Ａ）〜（Ｃ）は図３に示した排泄物採取具１Ｃの使用形態の一例を示す図である。図５（Ａ）は便座６２を着座できるようにセットしたときの着座式便器６の平面図、図５（Ｂ）は（Ａ）におけるＸ１−Ｘ１線断面図（正面図）、図５（Ｃ）は（Ａ）におけるＸ２−Ｘ２線断面図（側面図）である。
【図６】図６は本発明の排泄物採取具（採尿用排泄物採取具）の第５実施形態を示す図である。図６（Ａ）は排泄物採取具１Ｅの平面図を示し、図６（Ｂ）は（Ａ）におけるＸ０−Ｘ０の側断面図を示している。
【図７】図７（Ａ）〜（Ｃ）は図６に示した排泄物採取具１Ｅの使用形態の一例を示す図である。図７（Ａ）は便座６２を着座できるようにセットしたときの着座式便器６の平面図、（Ｂ）は（Ａ）におけるＸ１−Ｘ１線断面図（正面図）、図７（Ｃ）は  （Ａ）におけるＸ２−Ｘ２線断面図（側面図）である。
【図８】図８は本発明の排泄物採取具の第６実施形態を示す図である。図８（Ａ）は排泄物採取具１Ｆの平面図を示し、図８（Ｂ）は（Ａ）におけるＸ０−Ｘ０の側断面図を示している。
【図９】図９は従来の排泄物採取具の説明図であり、図９（Ａ）は排泄物採取具の平面図、図９（Ｂ）は排泄物採取具の側断面図である。
【発明を実施するための最良の形態】
【００２１】
以下、本発明の好適な実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００２２】
図１は本発明の排泄物採取具の第１実施形態を示す図である。図１（Ａ）は排泄物採取具１Ａの平面図を示し、図１（Ｂ）は（Ａ）におけるＸ０−Ｘ０の断面図を示している。図１（Ｂ）には、符号Ｆで示す部分の拡大図を併記してある。
【００２３】
図１において排泄物採取具１Ａは、平面視四角形の採取部２と、採取部２の左右（横方向）に延設されたバンド部４（バンド部４ａ，４ｂ）とからなる。同図ではバンド部４ａ，４ｂの縦幅は、採取部２の縦幅の縦幅と同じに構成してあるが、採取部２の縦幅よりも狭く構成することもできるし、広く構成することもできる。なお、本実施形態の排泄物採取具１Ａでは、平面素材を三次元にプレス成型することから、完成品に皺Ｋが形成される。なお、第２〜第５実施形態の排泄物採取具１Ｂ〜１Ｅについても同様である。
【００２４】
採取部２は、図１（Ｂ）に示されるように、本実施形態では２段の逆ピラミッド型の容器状をなしており、上段の受け部２１と下段のリザーバー２２とから構成されている。受け部２１とリザーバー２２との間にはフラット部２３が形成されている。フラット部２３には排泄物排出孔Ｗ２が形成されている。
【００２５】
採取部２は、全体（受け部２１およびリザーバー２２）を構成する採取部ベース材と、リザーバー２２の領域に形成されたフィルム材２４からなる。
採取部２が逆ピラミッド型に形成されることで、使用者の水様便が受け部２１に放出された場合に、必要量がリザーバー２２に保持され、余剰分は排泄物排出孔Ｗ２から排出される。
また、受け部２１とリザーバー２２との間に、フラット部２３を形成することで、図示しないプレス金型に排泄物排出孔Ｗ２をパンチングする機構を造作することが容易となる。本実施形態では、採取部２に溜まる水様便の重さを軽減することができる。
【００２６】
バンド部４ａ，４ｂは、バンド部ベース材からなり、端部下面に形成した接着材層Ｃとからなる。
本実施形態では、採取部ベース材およびバンド部ベース材は水に溶ける２層（紙層Ｓ１，Ｓ２）の積層紙（水溶・水解紙）からなり、採取部ベース材とバンド部ベース材とは連続した（すなわち、同一枚葉の）単層紙原材または積層紙原材から形成されている。
本実施形態では、接着材層Ｃも、水に溶けるものが選択されている。なお、接着材層Ｃは、使用前において離型紙により被覆される。この離型紙も水に溶けるように形成でき、たとえば蝋材を塗布した水溶性紙を用いることもできる。
【００２７】
リザーバー２２部分に形成されるフィルム材２４は、水に溶けるフィルム材であるが、所定時間は水に溶けずにリザーバー２２内に水様の便及びまたは尿を保持する機能を有するものとすると良い。このようにすると、リザーバー２２内に例えば水様便や、尿が貯まったとしても、フィルム材２４はすぐに溶けたり破けたりすることなくカップ状の形態を保持し、当該水様便や尿を所定時間貯留することができる。通常の便のみならず水様便や尿の採取にも適する。そしてフィルム材２４は、水に溶ける材質のため、排出物の採取後は排泄物採取具１Ａをそのまま排出物と共に便器内に廃棄することで、水洗できる。
【００２８】
水に溶けるフィルム材は、例えば樹脂製のフィルム材とするとよく、例えばＰＶＡ系樹脂フィルム）を採用するとよい。図１（Ｂ）中のＦ部に拡大して示す図から明らかなように、リザーバー２２部分は、採取部ベース部材を構成する２層の紙層Ｓ１と紙層Ｓ２の間にフィルム材２４を挟み込んだ３層構造としている。
【００２９】
リザーバー２２は、生理食塩水の注入から３分後の保持率が１５％以上であることが好ましい。なお、フィルム材２４もトイレに流すことから、上記保持率は８５％以下または９５％以下であることが好ましい。
【００３０】
なお、従来市販されている排泄物採取具の重量が約６グラム以上である。これに対し、本実施形態の排泄物採取具は、重量が約５グラム以下（または，４．５グラム以下または４．０グラム以下）に設計するとよい。これにより、排泄物採取具１Ａでは、便器に流した場合の排水管等の紙詰りが生じにくい。
【００３１】
図１（Ａ）に示されるように、本実施形態では、採取部２の周囲およびバンド部４ａ，４ｂの周囲に、押圧力の高い線素片が破線状に表れる縁取りＤＬ（本明細書ではミシン目とも言う）が形成されている。なお、図示はしないがバンド部４ａ，４ｂの面の全体にわたり、押圧力の高い線素片が破線状に表される格子、押圧力の高い連続線により表される格子等の適宜模様を形成することができる。
【００３２】
図１の排泄物採取具１Ａでは、縁取りＤＬにより排泄物採取具１Ａを構成する水溶・水解性紙の層が剥離しにくいので、採取部２およびバンド部４ａ，４ｂの強度が保障される。したがって、縁取りＤＬの模様を増やしたり減らしたりすること、縁取りＤＬの太さやピッチを調整することで、排泄物採取具が水に溶ける速度を制御することも可能である。
【００３３】
排泄物採取具１Ａの製造に際して、例えば採取部ベース材Ｌ１とバンド部ベースＬ２との一体品は水に溶ける紙を多層（本実施形態では２層）重ね合わせ、これを所望形状に打ち抜くと同時に、熱プレスにより成型することで製造することができる。このとき、フィルム材２４を所望位置に配置しておくことで図１に示した排泄物採取具１Ａを製造することができる。
【００３４】
なお、熱プレスの前工程、熱プレスと同時、または熱プレスの後工程において、消毒剤、消臭剤、脱臭剤、芳香剤の少なくとも１つを排泄物採取具１Ａに含ませる（例えば染み込ませる）とよい。
【００３５】
図２は本発明の排泄物採取具の第２実施形態を示す図である。図２（Ａ）は排泄物採取具１Ｂの平面図を示し、図２（Ｂ）は（Ａ）におけるＸ０−Ｘ０の側断面図を示している。図２（Ｂ）には、符号Ｆで示す部分の拡大図を併記してある。
【００３６】
本実施形態の排泄物採取具１Ｂは、バンド部４ａ，４ｂに軽量化用孔Ｗ１が設けられて点が第１実施形態とは異なっている。図２の軽量化用孔Ｗ１は、バンド部４ａ，４ｂにそれぞれ６個設けられているが、２〜５個、７個以上であってもよいし、次に述べるように（図３参照）、軽量化用孔をバンド部４ａ，４ｂにそれぞれ１個のみ設けることもできる。
【００３７】
図３は本発明の排泄物採取具の第３実施形態を示す図である。図３（Ａ）は排泄物採取具１Ｃの平面図を示し、図３（Ｂ）は（Ａ）におけるＸ０−Ｘ０の断面図を示している。図３（Ｂ）には、符号Ｆで示す部分の拡大図を併記してある。本実施形態の排泄物採取具１Ｃは、上述したようにバンド部４ａ，４ｂに軽量化用孔をそれぞれ１個設けてある。
【００３８】
図４は本発明の排泄物採取具の第４実施形態を示す図である。図４（Ａ）は排泄物採取具１Ｄの平面図を示し、図４（Ｂ）は（Ａ）におけるＸ０−Ｘ０の断面図を示している。図４（Ｂ）には、符号Ｆで示す部分の拡大図を併記してある。
【００３９】
図１〜図３で示した第１実施形態〜第３実施形態では、リザーバー２２を含む領域には、フィルム材２４が形成されているが、本実施形態では、リザーバー２２を含む領域における採取部ベース材のカップ状のリザーバー２２の内表面、すなわち、紙層Ｓ１の表面に透水性低下材２５を備える。この透水性低下材２５は、例えば紙層Ｓ１の表面に、所定の塗料を塗布して成膜すると良い。この透水性低下材２５に用いる塗料としては、例えばポリエチレンテレフタレートやポリオレフィン等を含む塗料を使用するとよく、セルロースを主成分とする塗料を使用しても良い。
【００４０】
透水性低下材２５を用いることで、リザーバー２２内に例えば水様便や、尿が貯まったとしても、透水性低下材２５はすぐに溶けたり破けたりすることなく、リザーバー２２はカップ状の形態を保持し、当該水様便や尿を所定時間貯留することができる。よって通常の便のみならず水様便や尿の採取にも適する。そして透水性低下材２５は、紙のように水にすぐに溶けることはないものの、水に溶ける材質のため、採取後は排泄物採取具１Ｄをそのまま排出物と共に便器内に廃棄することで、水洗できる。
【００４１】
図５（Ａ）〜（Ｃ）は、図３に示した排泄物採取具１Ｃの使用形態を示す図である。なお、図１の排泄物採取具１Ａ，図２の排泄物採取具１Ｂ，図４の排泄物採取具１Ｄについても使用方法は同じである。
【００４２】
図５（Ａ）〜（Ｃ）に示す例では、着座式便器６はリム６１と便座６２を備える。図５（Ａ）は便座６２を着座できるようにセットしたときの着座式便器６の平面図である。図５（Ｂ）は（Ａ）におけるＸ１−Ｘ１線断面図（正面図）であり、図５（Ｃ）は（Ａ）におけるＸ２−Ｘ２線断面図（側面図）である。
【００４３】
排泄物採取具１Ｃは、バンド部４ａ，４ｂの端を、接着材層Ｃにより着座式便器６の便座６２の左右上面に貼着する。これにより、採取部２はバンド部４ａ，４ｂにより便座６２に懸架される。
図５（Ａ）〜（Ｃ）の排泄物採取具１Ｃでは、採取部２により使用者７の便が採取される。この便は通常の半固形便であってもよいが、特に水様便の場合にはリザーバー２２に便が保持されるので例えばスポイト等による採便が可能となる。
なお、バンド部４が、３つ以上のバンド部を備える使用形態は図示しないが、３つのバンド部を便座６２の上面に貼着することにより、採取部２はバンド部により便座６２に懸架される。
【００４４】
図６は本発明の排泄物採取具の第６実施形態を示す図である。図６の排泄物採取具１Ｅは採尿に使用されるもので、図６（Ａ）は排泄物採取具１Ｅの平面図を示し、図６（Ｂ）は（Ａ）におけるＸ０−Ｘ０の断面図を示している。図６（Ｂ）には、符号Ｆで示す部分の拡大図を併記してある。
【００４５】
本実施形態では、排泄物採取具１Ｅは第３実施形態の排泄物採取具１Ｃと概略同じであるが、バンド部４ａ，４ｂの端辺が斜めにカットされている点が排泄物採取具１Ｃとは異なっている。なお、第１〜第４実施形態の排泄物採取具１Ａ〜１Ｄを、そのまま採尿用として使用することもできる。
採尿に際しては、排泄物採取具１Ｅは、図７に示すように便座の前側に配置しなくてはならない。排泄物採取具１Ｅでは、バンド部４ａ，４ｂが斜めになっていることで、便座への取り付けを容易に行うことができる。
本実施形態では、リザーバー２２が尿で漏れても、排泄物排出孔Ｗ２により当該尿を排出でき、かつフィルム材２４により尿を所定時間（たとえば、１８０秒程度）保持することができる。
【００４６】
図７（Ａ）〜（Ｃ）は、図６に示した排泄物採取具１Ｅの使用形態を示す図である。図７（Ａ）〜（Ｃ）に示す例では、着座式便器６はリム６１と便座６２を備える。図７（Ａ）は便座６２を着座できるようにセットしたときの着座式便器６の平面図である。図７（Ｂ）は（Ａ）におけるＸ１−Ｘ１線断面図（正面図）である。図７（Ｃ）は（Ａ）におけるＸ２−Ｘ２線断面図（側面図）である。
【００４７】
排泄物採取具１Ｅでは、バンド部４ａ，４ｂの端を、着座式便器６の便座６２の左右上面に貼着することにより、採取部２はバンド部４ａ，４ｂにより便座６２に懸架される。図７（Ａ）〜（Ｃ）の排泄物採取具１では、採取部２により使用者７の尿が採取される。
【００４８】
図８は本発明の排泄物採取具の第６実施形態を示す図である。図８（Ａ）は排泄物採取具１Ｆの平面図を示し、図８（Ｂ）は（Ａ）におけるＸ０−Ｘ０の断面図を示している。図８（Ｂ）には、符号Ｆで示す部分の拡大図を併記してある。本実施形態の排泄物採取具１Ｆは、第３実施形態の排泄物採取具１Ｃを前提とし、さらに、リザーバー２２を含む領域における採取部ベース材のカップ状のリザーバー２２の内表面、すなわち、紙層Ｓ１の表面に試薬２６を配置している。
【００４９】
試薬２６は、使用者７から排出される尿や便に接触して反応することで、使用者７の身体の状況・状態を検知する機能を有するものである。試薬２６は、当該反応により例えば表示状態が変化するように、使用者７の視覚により認識できるものとするとよく、表示状態の変化は例えば色の変化とするとよい。この試薬２６は、例えば、尿たん白、尿糖、尿潜血の少なくとも一つを検査するための尿検査薬や、便潜血を検査するための検査薬などとするとよい。また、試薬２６は、例えば尿に基づいて判定する妊娠検査薬などとしてもよく、その他の各種のものを適用できる。
【００５０】
試薬２６の配置位置は、カップ状のリザーバー２２の内表面の全面あるいは全体的に形成してもよいが、部分的に配置するとよい。部分的な配置は、例えば尿用の検査のための試薬は、カップ状のリザーバー２２の側面とすると良く、特に深さ方向では側面の上方部位から中央部位の領域内とするとよい。また、周回方向では、無端状に配置するのでは無く、離散的にするとよい。離散的にする場合、高さ・深さの異なるに複数箇所に形成すると、少ない設置エリア・箇所で効率よく検知できるので良い。
【００５１】
また、便用の試薬の場合、カップ状のリザーバー２２の底面とするとよく、側面に形成する場合には下方部位とするとよい。底面の場合、全面に設けるのではなく、例えば周辺近くとするとよい。底面の中央に配置しても、その上に便が溜まったままだと、試薬の反応状態を視認しにくい。これに対し、周辺近くに設けた試薬２６は、便の周辺近くの表面に接触して反応し、その反応の結果は横方向から見ると視認可能となる。
【００５２】
さらに、カップ状のリザーバー２２内に便が溜まった状態で、使用者７等が水その他の所望の水溶液をリザーバー２２内に供給し、例えば便の表面付近等を溶かしたり軟化させたりし、例えば便潜血を検知しやすくするとよい。また、便の溜まる位置は不定であるので、コスト高になるが試薬２６を全面に配置するのはよい。
【００５３】
また、リザーバー２２は、フィルム材２４を有し、所定時間は水に溶けたり破けたりすることなく排泄物等を保持する。そこで、所定時間は、試薬２６が反応し結果が現れるのに十分な時間とすると良い。
【００５４】
本実施形態によれば、使用者７は、排尿或いは排便後にリザーバー２２の内表面を見て試薬２６の色などを視認することで、自分の身体等の現在の状態・状況を簡易的に知ることができる。そして、異常等気になる結果の場合、早期に医療機関を受診する契機付けとなるので良い。
【００５５】
上述した第６実施形態は、第３実施形態を前提として構成したが、別の各種の実施形態・変形例等にも適用することができる。
【００５６】
また、第６実施形態並びにその変形例では、リザーバー２２の表面に所定の試薬２６を設けたが、本発明はこれに限ることはなく、上述した各実施形態等において試薬を収納した容器を備えるとよい。試薬は、例えば粉体・粒体等の固体でもよいし、液体でも良い。
【００５７】
このように試薬入りの容器を備えた本実施形態では、排便及びまたは排尿によりリザーバー２２内に便や尿等の排泄物が溜まった状態で、容器内の試薬をリザーバー２２内に供給する。すると、供給された試薬が排泄物と反応し、所望の発色等の表示状態になる。使用者は、試薬の色などの表示状態を視認することで、自分の身体等の現在の状態・状況を簡易的に知ることができる。そして、異常等気になる結果の場合、早期に医療機関を受診する契機付けとなるので良い。
【００５８】
試薬を容器に収納して保存しておくことで、例えば試薬が空気等に触れたりすると劣化するように鮮度を有するものの場合、容器に密封保存することで鮮度が保てるので良い。また、鮮度に関係のないものであっても、例えば排泄した後で試薬を供給することで、排泄物の量や、排泄した位置などに応じて、適切な量や位置に試薬を供給できるので、必要十分な試薬の量で適切な判定を行うことができる。さらにまた、異なる試薬を収納した容器を試薬毎にそれぞれ用意しておくことで、そのときの使用者の状況にあった試薬を用いた簡易的な判定を行うことができるので良い。また試薬が液体の場合、例えば、通常の半固形便などの場合でも、その便の表面等を溶かしたり軟化させたりできるのでよい。
【００５９】
以上、本発明の様々な側面を実施形態並びに変形例を用いて説明してきたが、これらの実施形態や説明は、本発明の範囲を制限する目的でなされたものではなく、本発明の理解に資するために提供されたものであることを付言しておく。本発明の範囲は、明細書に明示的に説明された構成や製法に限定されるものではなく、本明細書に開示される本発明の様々な側面の組み合わせをも、その範囲に含むものである。本発明のうち、特許を受けようとする構成を、添付の特許請求の範囲に特定したが、現在の処は特許請求の範囲に特定されていない構成であっても、本明細書に開示される構成を、将来的に特許請求する可能性があることを、念のために申し述べる。
【符号の説明】
【００６０】
１Ａ，１Ｂ，１Ｃ，１Ｄ，１Ｅ，１Ｆ  排泄物採取具
２  採取部
２１  受け部
２２  リザーバー
２３  フラット部
２４  フィルム材
２５  透水性低下材
２６  試薬
４  バンド部
４ａ，４ｂ  バンド部
６  着座式便器
６１  リム
６２  便座
７  使用者
Ｃ  接着材層
ＤＬ  縁取り
Ｋ  皺
Ｓ１，Ｓ２  紙層
Ｗ０，Ｗ１  軽量化用孔
Ｗ２  排泄物排出孔
【図１】
2020024197.tif 000003
【図２】
2020024197.tif 000004
【図３】
2020024197.tif 000005
【図４】
2020024197.tif 000006
【図５】
2020024197.tif 000007
【図６】
2020024197.tif 000008
【図７】
2020024197.tif 000009
【図８】
2020024197.tif 000010
【図９】
2020024197.tif 000011